(57)【特許請求の範囲】
【請求項１】
透明な第１シート基材の一方の面を第１印字面とするとともに他方の面に第１疑似接着剤層と第１接着剤層とが積層された第１シートを帯状の第１剥離シートに仮着した第１原反を繰り出す第１繰出手段と、
前記第１印字面に鏡文字又は鏡文字を含む印字を行う第１印字手段と、
第２シート基材の一方の面を第２印字面とするとともに他方の面に隠蔽性を備えた層を含む第２疑似接着剤層と第２接着剤層とが積層された第２シートを帯状の第２剥離シートに仮着した第２原反を繰り出す第２繰出手段と、
前記第２印字面に印字を施す第２印字手段と、
前記第１シート及び第２シートを所定の剥離手段を介して各剥離シートから剥離した後に、前記第１印字面上に前記第２接着剤層が位置するように第１シートと第２シートとを貼り合わせて前記鏡文字を隠蔽した貼付用シートを形成する貼合手段と、
前記第１接着剤層によって前記貼付用シートを被着体に貼付する貼付手段とを備えたことを特徴とするシート貼付装置。
【請求項２】
前記被着体に予め設けられた被着体情報を検知する検知手段を含み、前記被着体情報との対応関係に基づいて前記第１及び第２印字手段が所定の印字を行うことを特徴とする請求項１記載のシート貼付装置。
【請求項３】
前記貼付用シートの貼付後に、前記被着体情報と、前記第１及び第２印字手段で印字された情報との対応関係を検証する検証手段を更に含むことを特徴とする請求項２記載のシート貼付装置。
【請求項４】
透明な第１シート基材の一方の面を第１印字面とするとともに他方の面に第１疑似接着剤層と第１接着剤層とが積層された第１シートを帯状の第１剥離シートに仮着した第１原反を繰り出し、当該繰り出しの途中で前記第１印字面に鏡文字又は鏡文字を含む印字を行う一方、
第２シート基材の一方の面を第２印字面とするとともに他方の面に隠蔽性を備えた層を含む第２疑似接着剤層と第２接着剤層とが積層された第２シートを帯状の第２剥離シートに仮着した第２原反を繰り出し、当該繰り出しの途中で前記第２印字面に印字を行った後、
前記第１シート及び第２シートを各剥離シートから剥離し、
前記第１印字面上に前記第２接着剤層が位置するように第１シートと第２シートとを貼り合わせて前記鏡文字を隠蔽した貼付用シートを形成し、
次いで、前記第１接着剤層によって前記貼付用シートを被着体に貼付することを特徴とするシート貼付方法。
【請求項５】
前記被着体に予め設けられた被着体情報を検知し、当該被着体情報との対応関係に基づいて前記第１及び第２印字面に所定の印字を行うことを特徴とする請求項４記載のシート貼付方法。
【請求項６】
前記貼付用シートの貼付後に、前記第１シート及び第２シートに印字された情報と前記被着体情報の対応関係を検証することを特徴とする請求項５記載のシート貼付方法。
【発明の詳細な説明】
【技術分野】
【０００１】
本発明はシート貼付装置及び貼付方法に係り、更に詳しくは、秘匿情報を隠蔽した状態で被着体に貼付することができるシート貼付装置及び貼付方法に関する。
【背景技術】
【０００２】
近時、インターネットやテレビショッピング等の普遍的な拡大に伴い、従来の店頭販売に加えて通信販売が普及するに至り、配送業者が販売者に代わって商品を消費者に届ける流通形態が多く見られるようになっている。そのため、配送伝票を通じて商品に関する情報、例えば、商品名、商品価格等が漏洩し得ることとなる。これらの情報は、消費者が購入した商品が何であるかを特定するため、消費者のプライバシーに大きく関わる秘匿情報であるとともに、商品価格は、商品価値を把握できるため、流通過程における盗難防止を図る観点からも秘匿情報といえる。
【０００３】
特許文献１にはラベル貼付装置が開示されている。同装置は、第１のラベルの表面に印字を行った後、当該第１のラベルの印字面に第２のラベルを貼り合わせた状態で前記第１のラベルを被着体に貼付する構成となっている。
【０００４】
【特許文献１】特許第２５９７３３０号公報
【発明の開示】
【発明が解決しようとする課題】
【０００５】
しかしながら、特許文献１に開示されたラベル貼付装置にあっては、第１のラベルに印字された文字等が水などで濡れて滲んでしまうことがないように第２のラベルでカバーするものであるため、第２のラベルに印字することができないものとなっている。
従って、特許文献１に記載されたラベルを配送伝票等に適用したときに、あて先等、差し障りのない公開情報を印字できるに過ぎず、秘匿情報を印字して被着体に貼付することができない、という不都合がある。
【０００６】
［発明の目的］
本発明は、このような不都合に着目して案出されたものであり、その目的は、配送伝票等に適用したときに、公開情報と秘匿情報とを同時に印字可能とした貼付用シートを被着体に貼付することのできるシート貼付装置及び貼付方法を提供することにある。
また、本発明の他の目的は、被着体毎の個性、例えば、被着体が宅配商品である場合のあて先、商品等に対応するデータを被着体側から読み取って所定の印字を行うことができるとともに、貼付用シートが被着体に貼付された後の両者の対応関係を検証して誤送等を防止することのできるシート貼付装置及び貼付方法を提供することにある。
【課題を解決するための手段】
【０００７】
前記目的を達成するため、本発明に係るシート貼付装置は、透明な第１シート基材の一方の面を第１印字面とするとともに他方の面に第１疑似接着剤層と第１接着剤層とが積層された第１シートを帯状の第１剥離シートに仮着した第１原反を繰り出す第１繰出手段と、
前記第１印字面に鏡文字又は鏡文字を含む印字を行う第１印字手段と、
第２シート基材の一方の面を第２印字面とするとともに他方の面に隠蔽性を備えた層を含む第２疑似接着剤層と第２接着剤層とが積層された第２シートを帯状の第２剥離シートに仮着した第２原反を繰り出す第２繰出手段と、
前記第２印字面に印字を施す第２印字手段と、
前記第１シート及び第２シートを所定の剥離手段を介して各剥離シートから剥離した後に、前記第１印字面上に前記第２接着剤層が位置するように第１シートと第２シートとを貼り合わせて前記鏡文字を隠蔽した貼付用シートを形成する貼合手段と、
前記第１接着剤層によって前記貼付用シートを被着体に貼付する貼付手段とを備える、という構成を採っている。
【０００８】
前記シート貼付装置は、前記被着体に予め設けられた被着体情報を検知する検知手段を含み、前記被着体情報との対応関係に基づいて前記第１及び第２印字手段が所定の印字を行う構成を採ることができる。
【０００９】
また、前記貼付用シートの貼付後に、前記被着体情報と、前記第１及び第２印字手段で印字された情報との対応関係を検証する検証手段を更に含む構成を採ることが好ましい。
【００１０】
更に、本発明に係るシート貼付方法は、透明な第１シート基材の一方の面を第１印字面とするとともに他方の面に第１疑似接着剤層と第１接着剤層とが積層された第１シートを帯状の第１剥離シートに仮着した第１原反を繰り出し、当該繰り出しの途中で前記第１印字面に鏡文字又は鏡文字を含む印字を行う一方、第２シート基材の一方の面を第２印字面とするとともに他方の面に隠蔽性を備えた層を含む第２疑似接着剤層と第２接着剤層とが積層された第２シートを帯状の第２剥離シートに仮着した第２原反を繰り出し、当該繰り出しの途中で前記第２印字面に印字を行った後、前記第１シート及び第２シートを各剥離シートから剥離し、前記第１印字面上に前記第２接着剤層が位置するように第１シートと第２シートとを貼り合わせて前記鏡文字を隠蔽した貼付用シートを形成し、次いで、前記第１接着剤層によって前記貼付用シートを被着体に貼付する、という手法を採っている。
【００１１】
前記シート貼付方法は、前記被着体に予め設けられた被着体情報を検知し、当該被着体情報との対応関係に基づいて前記第１及び第２印字面に所定の印字を行う、という手法を採っている。
【００１２】
また、前記シート貼付方法において、前記貼付用シートの貼付後に、前記第１シート及び第２シートに印字された情報と前記被着体情報の対応関係を検証することが好ましい。
【００１３】
本発明における疑似接着剤層は、複数、例えば、二層の積層フイルムによって構成され、それらの界面で剥離可能に設けることができる。疑似接着形成層に用いるフイルムとしては、例えば、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せた積層フイルムを疑似接着剤層とすることができる。
また、本発明における「印字」は、文字、記号、図形又はこれらの任意の組合せを含む概念として用いられる。
【発明の効果】
【００１４】
本発明によれば、第１印字面に秘匿情報を印字する一方、第２印字面に公開情報を印字し、第１印字面をカバーするように第１シートに第２シートが貼り合わされた貼付用シートが被着体に貼付されるので、第１印字面の内容を秘匿した状態に保つことが可能となる。
また、第１シートは、第１疑似接着剤層を備えているため、被着体に貼付された後の剥離を容易に行うことができ、剥離したときに第１シートの裏面側から鏡文字を正しい向きで視認することが可能となる。
更に、被着体が宅配商品の包装箱であって、当該包装箱に収容された商品の届け先や、品名、金額等の個性化された内容を被着体情報として被着体に付したときに、その被着体情報を読み取って第１及び第２印字手段による印字制御を行うこができる。
また、第１及び第２印字面に印字された内容が前記被着体情報に対応しているか否かを検証することができるため、宅配商品の内容と、当該商品の届け先等の対応関係を確認することで誤送防止を図ることに寄与するシート貼付装置を提供することができる。
【発明を実施するための最良の形態】
【００１５】
以下、本発明の実施の形態について図面を参照しながら説明する。
【００１６】
図１には、本実施形態における貼付用シートＳを形成して被着体Ｗに貼付するシート貼付装置の概略正面図が示され、図２には、その要部概略斜視図が示されている。また、図３には、前記貼付用シートＳが被着体Ｗに貼付された概略斜視図が示されている。これらの図において、貼付用シートＳは、宅配商品等の配送伝票に適用され、当該貼付用シートＳは、略方形の平面形状を有する第１シートＳ１と、この第１シートＳ１よりも小さい略方形の平面形状を有する第２シートＳ２とにより構成されている。
【００１７】
前記第１シートＳ１は、図４に示されるように、一方の面（上面）を印字面１０Ａとして鏡文字１０ａを含む印字が施される透明な第１シート基材１０と、当該第１シート基材１０の他方の面（下面）に順次積層された第１疑似接着剤層１１と、宅配商品等の梱包体となる被着体Ｗに接着する第１接着剤層１２とにより構成されている。第１疑似接着剤層１１は、ポリスチレンからなる第１フイルム層１１Ａと、当該第１フイルム層１１Ａの上面側に位置する低密度ポリエチレンからなる第２フイルム層１１Ｂとからなり、これら第１及び第２フイルム層１１Ａ、１１Ｂの界面で剥離可能となっている。ここで、前記鏡文字１０ａは、本実施形態では、例えば、宅配商品の納品書として機能するように、商品価値を推認することのできる品名、金額等を含む秘匿情報とされ、前記第１、第２フイルム層１１Ａ、１１Ｂの界面で第１シート基材１０を剥離して裏面側から見たときに、鏡文字１０ａが正しい文字の向きで視認できるようになっている。
【００１８】
前記第２シートＳ２は、一方の面（上面）を印字面１５Ａとして印字１５ａが施される不透明な第２シート基材１５と、この第２シート基材１５の他方の面（下面）に順次積層された第２疑似接着剤層１６と、前記第１シート基材１０に重ね合わせて接着される第２接着剤層１７とにより構成されている。第２疑似接着形成層１６は、前記第１疑似接着剤層１１と同様に、ポリスチレンからなる第３フイルム層１６Ａと、当該第３フイルム層１６Ａの上面側に位置する低密度ポリエチレンからなる第４フイルム層１６Ｂとからなり、これら第３フイルム層１６Ａと第４フイルム層１６Ａとの界面で剥離可能となっている。ここで、第３フイルム層１６Ａは不透明に設けられており、第３、第４フイルム層１６Ａ、１６Ｂの界面で第２シート基材１５を剥離しても、前記第１シート基材１０に印字された鏡文字１０ａが第３フイルム層１６Ａを通じて見えることがないようになっている。また、第２シート基材１５の印字１５ａは、本実施形態では、例えば、宅配商品の「届け先」や「送り主」等の表示の他、「受領印」の捺印欄等とされ、配達員が第２シート基材１５を剥離して持ち帰るものとして構成されている。
【００１９】
前記被着体Ｗは、本実施形態では、宅配商品の包装箱が対象とされており、内部に各種商品が収容された状態で搬送路Ｐ上を順次搬送されるようになっている。ここで、被着体Ｗの上面側には、図３に示されるように、被着体の個別情報としてのバーコードＢが印刷若しくはラベル貼付によって付与されている。このバーコードＢは、被着体の届け先等の公開情報の他、品名、金額等の秘匿情報を図示しないホストコンピュータから呼び出すための番号を符号化したものである。
【００２０】
前記シート貼付装置２０は、前記第１シートＳ１を帯状の第１剥離シートＲＬ１に仮着した第１原反Ｒ１を繰り出す第１繰出手段２１と、前記第１印字面１０ＡにバーコードＢ１と鏡文字１０ａを印字する第１印字手段２２と、第１剥離シートＲＬ１を急激に反転して当該第１剥離シートＲＬ１から第１シートＳ１を剥離する剥離手段としての第１ピールプレート２３と、第１シートＳ１が剥離された後の第１剥離シートＲＬ１を巻き取る第１巻取手段２４と、第２シートＳ２を帯状の第２剥離シートＲＬ２に仮着した第２原反Ｒ２を繰り出す第２繰出手段２５と、前記第２印字面１５ＡにバーコードＢ２と印字１５ａを施す第２印字手段２６と、第２剥離シートＲＬ２から第２シートＳ２を剥離する剥離手段としての第２ピールプレート２７と、第２シートＳ２が剥離された後の第２剥離シートＲＬ２を巻き取る第２巻取手段２８と、第２剥離シートＲＬ２から剥離される第２シートＳ２に押圧力を付与して第１シートＳ１に積層することで貼付用シートＳを形成する貼合手段としてのプレスローラ２９と、貼付用シートＳを被着体Ｗに押圧して貼付する貼付手段３０と、前記被着体Ｗ上のバーコードＢを読み取るバーコードリーダからなる検知手段３１と、前記印字面１０Ａ、１５Ａにそれぞれ印字されたバーコードＢ１、Ｂ２と前記バーコードＢとを読み取るバーコードリーダからなる検証手段３２とを備えて構成されている。
【００２１】
前記第１繰出手段２１は、前記第１原反Ｒ１を支持する支持ローラ３５と、モータＭ１によって駆動される駆動ローラ３６と、当該駆動ローラ３６との間に第１原反Ｒ１を挟み込むピンチローラ３７と、モータＭ２によって駆動される駆動ローラ３８と、当該駆動ローラ３８との間に第１剥離シートＲＬ１を挟み込むピンチローラ３９とにより構成されている。なお、モータＭ１とＭ２とは、リンクされており、第１原反Ｒ１を繰出方向と反繰出方向とで正転、逆転が可能に設けられているとともに、駆動ローラ３６、３８間に位置する第１原反Ｒ１の張力が所定値になるように、図示しない張力検知手段と制御手段によって制御される。
【００２２】
前記第１印字手段２２は、第１印字ヘッド４０と、第１プラテンローラ４１とを含んで構成されている。この第１印字手段２２は、特に限定されるものではないが、例えば、サーマルヘッド、レーザプリンタ、インクジェットプリンタ、ドットインパクトプリンタ等によって構成することができる。また、第１印字手段２２は、図示しない制御装置に接続されており、前記検知手段３１によって被着体Ｗ上のバーコードＢが読み取られると、図示しないホストコンピュータに記憶されているデータを呼び出し、当該データのうち所定のデータだけを鏡文字１０ａに変換し、前記第１印字面１０Ａに印字を行うとともに、被着体ＷのバーコードＢに一致したデータを含む第１バーコードＢ１を印字するようになっている。なお、本実施形態の場合、バーコードＢ１は前記鏡文字１０ａのように反転していない。
【００２３】
前記第１巻取手段２４は巻取ローラ４３により構成されている。この巻取ローラ４３は、図示しないプーリ、ベルト等の連動機構を介して前記モータＭ２に連結されており、モータＭ２の駆動によって第１剥離シートＲＬ１を巻き取る方向に回転するようになっている。
【００２４】
前記第２繰出手段２５は、前記第２原反Ｒ２を支持する支持ローラ４５と、モータＭ３によって駆動される駆動ローラ４６と、当該駆動ローラ４６との間に第２原反Ｒ２を挟み込むピンチローラ４７と、モータＭ４によって駆動される駆動ローラ４８と、当該駆動ローラ４８との間に第２剥離シートＲＬ２を挟み込むピンチローラ４９とにより構成されている。なお、モータＭ３とＭ４とは、リンクされており、第２原反Ｒ２を繰出方向と反繰出方向とで正転、逆転が可能に設けられているとともに、駆動ローラ４６、４８間に位置する第２原反Ｒ２の張力が所定値になるように、図示しない張力検知手段と制御手段によって制御される。
【００２５】
前記第２印字手段２６は、第２印字ヘッド５０と、第２プラテンローラ５１とを含んで構成されている。この第２印字手段２６は、第１印字手段２２と同様に、サーマルヘッド等の多種のプリンタによって構成することができる。また、第２印字手段２６も、図示しない制御装置に接続されており、前記検知手段３１によって被着体Ｗ上のバーコードＢが読み取られると、図示しないホストコンピュータに記憶されているデータを呼び出し、当該データのうち所定のデータだけを印字１５ａに変換して前記第２印字面１５Ａに印字を行うとともに、被着体ＷのバーコードＢに一致したデータを含む第２バーコードＢ２を印字するようになっている。
【００２６】
前記第２巻取手段２８は、巻取ローラ５３により構成されている。この巻取ローラ５３は、第１巻取手段２４と同様に、図示しないプーリ、ベルト等の連動機構を介して前記モータＭ４に連結されており、モータＭ４の駆動によって第２剥離シートＲＬ２を巻き取る方向に回転するようになっている。
【００２７】
前記貼付手段３０は、吸着プレート５５と、この吸着プレート５５を被着体Ｗに向かって進退可能に支持するシリンダ５６とを備えて構成されている。吸着プレート５５は、下面側に図示しない多数の吸着孔を備えており、第１シートＳ１と第２シートＳ２との積層体となる貼付用シートＳを吸着保持するように構成されている。
【００２８】
次に、本実施形態に係るシート貼付装置２０の全体的な動作について説明する。ここで、説明の便宜上、第１シートＳ１の第１印字面１０Ａには、商品名、領収金額等の秘匿情報に関する鏡文字１０ａと、鏡文字でない第１バーコードＢ１とが印字され、第２シートＳ２の第２印字面１５Ａには、商品の届け先等の公開情報に関する印字１５ａと第２バーコードＢ２が印字されるものとする。また、被着体Ｗは、搬送路Ｐに沿って図１中右側から左側に向かって搬送され、その上面側には、商品の内容、届け先、金額等を図示しないホストコンピュータから呼び出すための番号を符号化したバーコードＢが予め設けられているものとする。
【００２９】
第１接着シートＳ１と第２接着シートＳ２とは、それぞれ第１、第２印字手段２２、２６の印字位置の上流で待機している（図５（a）参照）。
【００３０】
前記被着体Ｗが検知手段３１の下方を通過すると、当該検知手段３１によってバーコードＢが読み取られ、図示しないホストコンピュータからデータが呼び出され、第１、第２印字手段２２、２６の記憶部に所定のデータが記憶される。そして、モータＭ１〜Ｍ４の駆動によって第１原反Ｒ１と、第２原反Ｒ２の繰り出しが開始され、これに同期して、第１剥離シートＲＬ１と第２剥離シートＲＬ２が巻取ローラ４３、５３によってそれぞれ巻き取られる。この繰り出しの途中において、第１シートの第１印字面１０Ａと、第２シートＳ２の第２印字面１５Ａには、第１印字手段２２及び第２印字手段２６を介して前記記憶されたデータを基に前述した印字が行われる。
【００３１】
第２シートＳ２は、印字が完了すると第２ピールプレート２７上の所定位置で一旦停止され、第１シートＳ１が所定位置に達したことを図示しないセンサが検知したときに、当該第１シートＳ１の繰り出しに同期して繰り出される（図５（ｂ）参照）。これにより、第２シートＳ２は第２剥離シートＲＬ２から剥離され、プレスローラ２９によって第１シートＳ１上に貼り合わされて前記鏡文字１０ａを隠蔽した貼付用シートＳが形成される。そして、第２の原反Ｒ２は繰り出しを停止され、第１原反Ｒ１の更なる繰り出しにより、前記貼付用シートＳは、第１ピールプレート２３上の所定位置で図示しないセンサで検出されて待機状態とされる（図５（ｃ）参照）。
【００３２】
前記待機中の貼付用シートＳに対応する被着体Ｗが所定位置に到達したことを図示しないセンサが検知すると、モータＭ１、Ｍ２が駆動することによって当該貼付用シートＳは第１ピールプレート２３で剥離されるとともに、貼付手段３０の吸着プレート５５に吸着保持され、シリンダ５６の駆動によって被着体Ｗの上面に貼付される（図５（ｄ）参照）。なお、前記貼付動作において、先頭以降の第１、第２シートＳ１、Ｓ２は、それぞれ第１、第２印字手段２２、２６の印字位置を通過することとなるが、印字は行われないように制御され、貼付用シートＳが吸着プレート５５に吸着保持されると、モータＭ１〜Ｍ４の駆動によって第１、第２原反Ｒ１、Ｒ２が図５（ａ）に示される第１、第２印字手段２２、２６の印字位置上流側の待機位置に逆搬送されて次の印字のために待機する。
【００３３】
被着体Ｗに貼付された貼付用シートＳは、検証手段３２によって検証される。この検証は、被着体ＷのバーコードＢのデータと、第１シートＳ１と第２シートＳ１とに印字されたバーコードＢ１、Ｂ２に含まれるデータとが一致するか否かを検証する。ここで、シート貼付装置２０における各種動作の過程で、何らかのトラブルが生じて対応関係の一致を得られない場合、検証手段３２によって不一致が検出されることとなる。このような場合、図示しないリジェクト装置等を用いて、検証不一致となった被着体Ｗを搬送路Ｐから取り除いたり、オペレータに通知する等の方法で誤送を未然に防ぐことができる。
【００３４】
従って、このような実施形態によれば、第２シートＳ２を秘匿情報が印字された第１シートＳ１に貼り合わせることで、第１シートＳ１に印字された秘匿情報を隠蔽した貼付用シートＳを形成可能とし、当該貼付用シートＳを被着体Ｗに貼付する構成としたから、第１シートＳ１の表面を秘匿情報の印字面として利用したシート貼付装置２０を提供することができる。
しかも、前記秘匿情報は、第２擬似接着剤層１６が剥離されたとしても、第１擬似接着剤層１１が剥離されない限り、外部に漏れるといった虞はなくなる。
また、被着体ＷのバーコードＢと、第１、第２バーコードＢ１、Ｂ２とを検証することで、宅配商品の誤送を生ずるような虞もなくすることができる。
【００３５】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３６】
例えば、前記実施形態では、バーコードＢ、Ｂ１、Ｂ２を設ける場合について図示、説明したが、当該バーコードに替えて２次元コードを付したり、或いは、ＲＦＩＤタグを貼付したりすることでもよい。要するに、本発明は、被着体に貼付すべき貼付用シートＳの第１、第２シートＳ１、Ｓ２が相互に対応関係を有しているか否かを検証できるようになっていればよい。
【００３７】
また、貼付用シートＳは宅配商品の配送伝票に限らず、秘匿情報を外部に漏れることなく隠蔽する必要が要請されるその他のラベル等に適用してもよく、更に、貼付用シートＳの平面形状、第１及び第シートＳ１、Ｓ２の相対平面積等、秘匿情報を隠蔽できる限りにおいて種々変更することができる。
【００３８】
更に、押圧手段３０はシリンダ５６以外に、ローラやエアジェット等で構成してもよい。
【００３９】
また、貼合手段はプレスローラ２９以外に、シリンダやエアジェット等で構成してもよい。
【００４０】
更に、前記実施形態では、第３フイルム層１６Ａを不透明な層としたが、更に不透明な別の層を設けて第３フイルム層１６Ａを透明な層としてもよい。
【００４１】
また、バーコードＢ１、Ｂ２に含まれるデータは、バーコードＢと同じデータに加えて他のデータを含むように設定してもよい。このように設定することで、例えば、配達業者へ伝える情報等、検証以外に他の情報として利用することができる。
【図面の簡単な説明】
【００４２】
【図１】本実施形態に係るシート貼付装置の概略正面図。
【図２】第１シートに第２シートが貼り合わされる状態を示す概略斜視図。
【図３】貼付用シートが被着体に貼付された状態を示す概略斜視図。
【図４】貼付用シートの層構造を詳細に示す図３の分解側面図。
【図５】貼付用シートを被着体に貼付する動作説明図。
【符号の説明】
【００４３】
１０  第１シート基材
１０Ａ  第１印字面
１０ａ  鏡文字
１１  第１疑似接着剤層
１２  第１接着剤層
１５  第２シート基材
１５Ａ  第２印字面
１５ａ  印字
１６  第２疑似接着剤層
１７  第２接着剤層
２０  シート貼付装置
２１  第１繰出手段
２２  第１印字手段
２３  第１ピールプレート（剥離手段）
２５  第２繰出手段２５
２６  第２印字手段
２７  第２ピールプレート（剥離手段）
２９  プレスローラ（貼合手段）
３０  貼付手段
３１  検知手段
３２  検証手段
Ｂ、Ｂ１、Ｂ２  バーコード
ＲＬ１  第１剥離シート
ＲＬ２  第２剥離シート
Ｒ１  第１原反
Ｒ２  第２原反
Ｓ  貼付用シート
Ｓ１  第１シート
Ｓ２  第２シート
Ｗ  被着体
【図１】
0004814185.tif 000002
【図２】
0004814185.tif 000003
【図３】
0004814185.tif 000004
【図４】
0004814185.tif 000005
【図５】
0004814185.tif 000006